(57)【要約】【課題】  相互に連携する機器をユーザに提示することができる電子機器の表示システムを提供する。【解決手段】  ゲートウェイ１は、ハブ２のポート番号とエリアとの対応関係を記述したロケーションテーブルと、宅内機器の属性群と当該属性群間での連携動作とを記述した動作テーブルとを記憶し、宅内機器のオブジェクトＩＤ、属性情報及びポート番号を含む信号をハブ２から受信した場合に、当該ポート番号からロケーションテーブルを参照して宅内機器が存在するエリアを識別し、当該ポート番号、当該オブジェクトＩＤ及び宅内機器が存在しているエリアを対応付けてロケーションテーブルを更新してエリアごとに存在する宅内機器のリストをコントローラ４，９，１０に表示させると共に、受信した属性情報及び動作テーブルを参照して、当該宅内機器を含む連携動作の内容をコントローラ４，９，１０に表示させる。【選択図】      図１
2007174208.tif 000002
【特許請求の範囲】
【請求項１】
複数のエリアのうち、エリアごとに存在する電子機器を、表示手段を備えたコントローラに表示させる電子機器の表示システムであって、
予め記憶しておいた機器識別子及び自己の属性情報を出力する電子機器が接続されるポートを複数有する集線装置と、
前記集線装置を介して前記電子機器と通信を行う上位管理装置とを備え、
前記電子機器は、自発的又は前記上位管理装置からの要求に従って、前記機器識別子及び属性情報を出力し、前記集線装置は、当該電子機器から機器識別子及び属性情報を受信した後、自発的又は前記上位管理装置からの要求に従って、当該機器識別子及び属性情報にポート番号を付加して前記上位管理装置に転送し、
前記上位管理装置は、前記集線装置のポート番号とエリアとの対応関係を記述したロケーションテーブルと、前記電子機器の属性群と当該属性群間での連携動作とを記述した動作テーブルとを記憶する記憶手段を有し、
前記電子機器の機器識別子、属性情報及びポート番号を含む信号を前記集線装置から受信した場合に、当該ポート番号から前記ロケーションテーブルを参照して電子機器が存在するエリアを識別し、当該ポート番号、当該機器識別子及び前記電子機器が存在しているエリアを対応付けてロケーションテーブルを更新してエリアごとに存在する電子機器のリストを前記コントローラに表示させると共に、前記受信した属性情報及び動作テーブルを参照して、当該電子機器を含む連携動作の内容を前記コントローラに表示させること
を特徴とする電子機器の表示システム。
【請求項２】
前記上位管理装置は、前記ロケーションテーブルを参照して前記コントローラが存在するエリアを識別し、当該コントローラと同一のエリア内に存在する電子機器のリスト及び当該電子機器を含む連携動作を表示することを特徴とする請求項１に記載の電子機器の表示システム。
【請求項３】
前記上位管理装置は、前記ロケーションテーブルを参照して前記コントローラが存在するエリアを識別し、前記ロケーションテーブル及び前記動作テーブルを参照して、前記コントローラと同一のエリア内に存在しない電子機器群であって、連動動作できない電子機器群及び連携動作の内容を前記コントローラに表示させることを特徴とする請求項１に記載の電子機器の表示システム。
【請求項４】
前記上位管理装置には、前記コントローラのユーザ属性情報又は既存の電子機器の属性情報が記憶され、
前記上位管理装置は、前記動作テーブルを記憶した情報サーバとネットワークを介して接続され、前記ユーザ属性情報又は既存の電子機器の属性情報を前記情報サーバに送信して、当該情報サーバから前記ユーザ属性情報又は既存の電子機器の属性情報に対応した動作テーブルを取得することを特徴とする請求項２又は請求項３に記載の電子機器の表示システム。
【請求項５】
前記コントローラには、ユーザが電子機器にアクセスする権限を表すアクセス権情報が格納され、
前記上位管理装置は、前記コントローラのアクセス権情報を取得して、当該コントローラによってアクセス可能な電子機器のみを表示させることを特徴とする請求項１乃至請求項４の何れか一項に記載の電子機器の表示システム。
【請求項６】
前記コントローラには、ユーザが電子機器にアクセスする権限を表すアクセス権情報が格納され、
前記上位管理装置は、前記コントローラのアクセス権情報を取得して、当該コントローラによってアクセス不能な電子機器を表示させることを特徴とする請求項１乃至請求項４の何れか一項に記載の電子機器の表示システム。
【発明の詳細な説明】
【技術分野】
【０００１】
本発明は、エリアごとに利用可能な電子機器をユーザ端末に表示する電子機器の表示システムに関する。
【背景技術】
【０００２】
従来より、宅内に存在する機器を上位管理装置に接続して、ユーザが保持するコントローラで制御・監視等を可能とするための技術としては、ユーザが保持するコントローラが移動したことによって、移動先のエリアに存在する電子機器を手動で表示させるといった技術が知られている。
【０００３】
また、下記の特許文献１に記載されているように、企業や組織における事業所・部門等の「エリア」、サーバやクライアント等の「機器」、そして、役職や担当等の「ユーザ」ごとに機器の利用権などを制御する技術が知られている。
【特許文献１】特開２００２−４１４６９号公報
【発明の開示】
【発明が解決しようとする課題】
【０００４】
しかしながら、上述した技術では、ユーザが保持するコントローラの移動先によって移動先エリアに存在する電子機器を手動で設定することはユーザにとって負担となっていた。また、同じエリア内にネットワーク接続された複数の機器が存在している時に、複数の機器が連携して動作するものであっても、機器をリスト表示させることだけで、複数の機器を連携して動作させることについては、ユーザの判断に委ねられていた。したがって、複数の機器が連携して動作することを知らない場合には、より便利な機能を使用できないことになってしまう。
【０００５】
そこで、本発明は、上述した実情に鑑みて提案されたものであり、相互に連携する機器をユーザに提示することができる電子機器の表示システムを提供することを目的とする。
【課題を解決するための手段】
【０００６】
本発明は、複数のエリアのうち、エリアごとに存在する電子機器を、表示手段を備えたコントローラに表示させる電子機器の表示システムであって、予め記憶しておいた機器識別子及び自己の属性情報を出力する電子機器が接続されるポートを複数有する集線装置と、集線装置を介して電子機器と通信を行う上位管理装置とを備え、電子機器は、自発的又は上位管理装置からの要求に従って、機器識別子及び属性情報を出力し、集線装置は、当該電子機器から機器識別子及び属性情報を受信した後、自発的又は前記上位管理装置からの要求に従って、当該機器識別子及び属性情報にポート番号を付加して上位管理装置に転送する。
【０００７】
上位管理装置は、上述の課題を解決するために、集線装置のポート番号とエリアとの対応関係を記述したロケーションテーブルと、電子機器の属性群と当該属性群間での連携動作とを記述した動作テーブルとを記憶する記憶手段を有し、電子機器の機器識別子、属性情報及びポート番号を含む信号を集線装置から受信した場合に、当該ポート番号からロケーションテーブルを参照して電子機器が存在するエリアを識別し、当該ポート番号、当該機器識別子及び電子機器が存在しているエリアを対応付けてロケーションテーブルを更新してエリアごとに存在する電子機器のリストをコントローラに表示させると共に、受信した属性情報及び動作テーブルを参照して、当該電子機器を含む連携動作の内容をコントローラに表示させる。
【発明の効果】
【０００８】
本発明に係る電子機器の表示システムによれば、コントローラにエリアごとに存在する電子機器を表示させると共に、当該電子機器同士が連携して動作することを表示できるので、ユーザに電子機器間の連携動作の内容を提示することができる。
【発明を実施するための最良の形態】
【０００９】
以下、本発明の実施の形態について図面を参照して説明する。
【００１０】
本発明を適用した電子機器の表示システムは、図１に示すように、住宅であるホームＡ内の部屋Ａ、部屋Ｂ、台所、居間、ホームＢといったエリアごとに存在する宅内機器をユーザが保持するコントローラ９に表示させるものである。
【００１１】
ホームＡには、部屋Ａ、部屋Ｂ、台所、居間、ホームＢといったエリアごとに複数の宅内機器が存在し、各エリアに集線装置であるハブ２Ａ、２Ｂ、２Ｃ、２Ｄが設置されている。これらのハブ２Ａ、２Ｂ、２Ｃ、２Ｄは、各エリアに存在する宅内機器と無線又は有線で接続されており、当該複数の宅内機器とゲートウェイ１とを通信接続している。また、ホームＢには、複数の宅内機器とゲートウェイ２０とが直接されている。このホームＢにおけるシステムは、ゲートウェイ２０が集線装置としても機能している。
【００１２】
これらゲートウェイ１及びゲートウェイ２０は、インターネット等の汎用のネットワークＮと接続されており、当該ネットワークＮを介して、ユーザが保持する携帯電話１１によってホームＡ、ホームＢ内の宅内機器にアクセス可能となっている。なお、ハブ２Ａ、２Ｂ、２Ｃ、２Ｄは、各エリアに一台設置することの他、複数のエリアに一台設置しても良いものである。
【００１３】
この電子機器の表示システムは、所謂ＥＭＩＴ（Embedded Micro Internetworking Technology）と称されるネットワーク技術を利用して、ゲートウェイ１及びゲートウェイ２０を介して宅内機器を制御・監視するものである。このＥＭＩＴ技術は、携帯電話１１、宅内機器やゲートウェイ１及びゲートウェイ２０といったネットワーク機器にＥＭＩＴミドルウェアを組み込み、当該ＥＭＩＴミドルウェア同士の通信によって通信接続を実現するものである。
【００１４】
なお、詳細は後述するが、ゲートウェイ１，２０には、ＥＭＩＴミドルウェア間におけるルーティング処理、宅内機器の認識処理等を行うＯＡＳ（Object Access Server）機能部が実装され、宅内機器には、ＥＭＩＴミドルウェア間で各種宅内機器の制御信号や宅内機器の状態信号等を送受するＭＯＳ（Micro Object Server）機能部が実装され、携帯電話１１やコントローラ９、ＴＶコントローラ４Ａ、４Ｂ、２３、パーソナルコンピュータ１０には、制御対象の宅内機器への制御・監視リクエストを出力すると共に宅内機器の状態表示等を行うＯＡＬ（Object Access Library）機能部（図示せず）が実装されている。
【００１５】
この電子機器の表示システムにおける宅内機器としては、照明３Ａ，３Ｂ，３Ｃ，３Ｄ，２２、ＴＶ４Ａ，４Ｂ，２３、人センサ５Ａ，５Ｂ，２１、ＤＶＤ装置６，２４、エアコン７、ブリッジ８、携帯型コントローラ９、パーソナルコンピュータ１０がある。これらの宅内機器は、各エリアに設けられたハブ２Ａ、２Ｂ、２Ｃ、２Ｄに接続される。また、宅内機器群において、ホームＡの部屋Ａには、他の宅内機器を表示するコントローラとしてＴＶ４Ａが設けられ、ホームＡの部屋Ｂには、他の宅内機器を表示するコントローラとしてＴＶ４Ｂが設けられ、ホームＡの居間には、他の宅内機器を表示するコントローラとして携帯型コントローラ９が設けられ、ホームＡの台所には、他の宅内機器を表示するコントローラとしてパーソナルコンピュータ１０が設けられ、ホームＢには、他の宅内機器を表示するコントローラとしてＴＶ２３が設けられている。
【００１６】
このような宅内機器及びゲートウェイ１，２０は、図２に示すように構成される。
【００１７】
宅内機器１００は、ＭＯＳ機能部１０１に、アプリケーション処理部１０２、インターフェースモジュール１０３が接続されている。
【００１８】
アプリケーション処理部１０２は、例えば照明として機能する場合に、例えば照度値を調整するアプリケーションコードが記憶されており、照度値を保持してＭＯＳ機能部１０１に受け渡す。
【００１９】
インターフェースモジュール１０３は、ＯＳＩ（Open Systems Interconnection）参照モデルにおけるデータリンク層、ネットワーク層、トランスポート層に相当する処理を行う。例えばデータリンク層においてイーサネット（登録商標）に従った処理を行い、ネットワーク層においてＩＰ（Internet Protocol）に従った処理を行い、トランスポート層においてＴＣＰ（Transmission Control Protocol）又はＵＤＰ（User Datagram Protocol）に従った処理を行う。このインターフェースモジュール１０３の通信プロトコルバージョン、通信速度といった能力は、能力テーブル１０４に格納されて、ゲートウェイ１，２０のＯＡＳ機能部２０１によって取得可能となっている。
【００２０】
ＭＯＳ機能部１０１は、アプリケーション処理部１０２によるアプリケーション層とインターフェースモジュール１０３によるトランスポート層との間のＥＭＩＴミドルウェアとして機能する。このＭＯＳ機能部１０１には、ゲートウェイ１，２０のＯＡＳ機能部２０１によって、宅内機器がＥＭＩＴにおけるオブジェクトであることを識別するために、オブジェクトＩＤ１０１ｄが与えられている。このオブジェクトＩＤ１０１ｄは、ＯＡＳ機能部２０１と通信するに際して、ゲートウェイ１，２０に送信するパケットに格納される。
【００２１】
ＭＯＳ機能部１０１は、機能（function、関数）１０１ａ、イベント（event）１０１ｂ、変数（variable）１０１ｃで定義された動作を行う。このＭＯＳ機能部１０１の動作は、機器データテーブル１０１ｅして定義されており、ゲートウェイ１，２０のＯＡＳ機能部２０１によって取得可能となっている。
【００２２】
宅内機器が照明である場合、機能１０１ａは、オンオフ値の出力機能となり、イベント１０１ｂは、例えば照度値が所定値以下となったらオンを出力するイベントとなり、変数１０１ｃは、現状のオンオフ値の状態となる。
【００２３】
また、宅内機器は、ＭＯＳ機能部１０１によって、自発的にハブ２Ａ、２Ｂ、２Ｃ、２Ｄを介してゲートウェイ１，２０と接続するイベントを発生させて、オブジェクトＩＤ１０１ｄ、機器属性情報（class）、機能情報、変数情報、イベント情報等を送信させても良く、ゲートウェイ１，２０からの要求に応じてオブジェクトＩＤ１０１ｄ等を送信しても良い。
【００２４】
ゲートウェイ１，２０は、宅内機器を制御・監視するものである。このゲートウェイ１，２０は、ＯＡＳ機能部２０１に、サーバ機能部２０２、通信モジュール２０３が接続されている。
【００２５】
サーバ機能部２０２は、ＯＡＳ機能部２０１及び通信モジュール２０３を統括制御する。このサーバ機能部２０２は、携帯電話１１に対してＷｅｂページを送信したり、ＨＴＴＰベースのリクエストを受け付ける。
【００２６】
通信モジュール２０３は、ハブ２Ａ、２Ｂ、２Ｃ、２Ｄを介して宅内機器のインターフェースモジュール１０３との間で通信を行うと共に、他のゲートウェイ、携帯電話１１の間で通信を行う。この通信モジュール２０３は、ＯＳＩ（Open Systems Interconnection）参照モデルにおけるデータリンク層、ネットワーク層、トランスポート層相当の処理を行う。例えばデータリンク層においてイーサネット（登録商標）に従った処理を行い、ネットワーク層においてＩＰ（Internet Protocol）に従った処理を行い、トランスポート層においてＴＣＰ（Transmission Control Protocol）又はＵＤＰ（User Datagram Protocol）に従った処理を行う。
【００２７】
ＯＡＳ機能部２０１は、サーバ機能部２０２の処理と通信モジュール２０３によるトランスポート層処理との間のＥＭＩＴミドルウェアとして機能する。このＯＡＳ機能部２０１は、デバイスアクセスサーバ２０１ａ、所定のメモリに格納されたサービス情報２０１ｂ、デバイスアクセスコントローラ２０１ｃを備えて構成されている。
【００２８】
デバイスアクセスサーバ２０１ａは、ＴＶ４Ａ，４Ｂ，２３、携帯型コントローラ９、パーソナルコンピュータ１０といったクライアント（ＯＡＬ）との間で通信を行うために、クライアントからのリクエストを通信モジュール２０３及びサーバ機能部２０２を介して受信する。そしてデバイスアクセスサーバ２０１ａは、当該リクエストをデバイスアクセスコントローラ２０１ｃ及び通信モジュール２０３を介して宅内機器に送信する動作を制御する。これによって、デバイスアクセスコントローラ２０１ｃは、ＯＡＬであるコントローラからの要求を宅内機器に伝達して、宅内機器を制御する。また、デバイスアクセスサーバ２０１ａは、図３に示すような機器データテーブル１０１ｅが宅内機器に記憶されていることに対して、図４に示すようなロケーションテーブルを記憶している。
【００２９】
図３の機器データテーブルは、宅内機器ごとに作成され、宅内機器のオブジェクトＩＤと、ＴＶ、センサ、エアコンといった属性情報（class）と、宅内機器の機能１０１ａ、イベント１０１ｂ、変数１０１ｃ（関数）とを対応付けている。
【００３０】
また、図４のロケーションテーブルは、各宅内機器がどのハブ２Ａ、２Ｂ、２Ｃ、２Ｄのどのポートに接続されているかを識別するポート番号、ハブＩＤ（オブジェクトＩＤ又はＩＰアドレス）、場所情報、オブジェクトＩＤを対応付けて構成されている。このロケーションテーブルによって、ゲートウェイ１，２０は、各オブジェクトＩＤ１０１ｄを有する宅内機器がどのハブ２Ａ、２Ｂ、２Ｃ、２Ｄのどのポート番号のポートに接続されており、どの場所（エリア）に存在しているのかを認識できる。
【００３１】
デバイスアクセスコントローラ２０１ｃは、宅内機器のインターフェース定義及びサービス情報（機能１０１ａ（関数）、イベント１０１ｂ、変数１０１ｃ）を取得するために、通信モジュール２０３を介して宅内機器の機器データテーブル１０１ｅ及び能力テーブル１０４を検索する。これによって、デバイスアクセスコントローラ２０１ｃは、各宅内機器がどのようなサービス（機能１０１ａ、イベント１０１ｂ、変数１０１ｃ）を有するかを判断して、各宅内機器のオブジェクトＩＤ１０１ｄとサービスリストとの対応関係を示すサービス情報２０１ｂを作成する。また、デバイスアクセスコントローラ２０１ｃは、各宅内機器がどのような能力（通信プロトコルバーション、通信速度）を有するかを認識する。
【００３２】
デバイスアクセスコントローラ２０１ｃは、ＭＯＳ機能部１０１でイベントが発生して、イベントパケットを通信モジュール２０３で受信すると、デバイスアクセスコントローラ２０１ｃによって当該イベントパケットを解析して、デバイスアクセスサーバ２０１ａに通知する。また、コントローラ（クライアント）からのリクエストを宅内機器に送信する場合には、当該リクエストに応答できるＭＯＳ機能部１０１を、サービス情報２０１ｂを参照して認識する。そして、当該リクエストの送信先のオブジェクトＩＤ１０１ｄを付加し、宅内機器の能力に合わせて通信モジュール２０３から宅内機器にパケットを送信させる。
【００３３】
また、ＯＡＳ機能部２０１には、他のＥＭＩＴミドルウェア対応機器が当該ＯＡＳ機能部２０１を識別するために、オブジェクトＩＤ２０１ｄが与えられている。このオブジェクトＩＤ２０１ｄは、宅内機器のＭＯＳ機能部１０１や、他のＯＡＬが実装されたクライアント（パーソナルコンピュータ）等のＥＭＩＴミドルウェア対応機器と通信するに際して、送信するパケットに格納される。
【００３４】
このような電子機器の表示システムは、宅内機器から自発的に、ハブ２Ａ、２Ｂ、２Ｃ、２Ｄに当該宅内機器の機器識別子であるオブジェクトＩＤ及び属性情報（class）が供給されると、当該ハブ２Ａ、２Ｂ、２Ｃ、２Ｄによって、当該宅内機器と接続しているポート番号とハブＩＤをオブジェクトＩＤ、属性情報に付加して、ゲートウェイ１，２０に転送する。また、宅内機器ごとに、ポート番号、ハブＩＤ、オブジェクトＩＤ、属性情報をゲートウェイ１，２０に送信する他の例としては、ゲートウェイ１，２０からハブ２Ａ、２Ｂ、２Ｃ、２Ｄを介して宅内機器に情報送信要求が送信された後に、宅内機器からハブ２Ａ、２Ｂ、２Ｃ、２ＤにオブジェクトＩＤ及び属性情報を送信し、更にハブ２Ａ、２Ｂ、２Ｃ、２ＤによってハブＩＤ及びポート番号を付加してゲートウェイ１，２０に送信しても良い。更に、ハブ２Ａ、２Ｂ、２Ｃ、２Ｄは、ゲートウェイ１，２０からの当該ハブ２Ａ、２Ｂ、２Ｃ、２Ｄに対する情報送信要求を受信した後に、ハブＩＤ及びポート番号を付加した属性情報を送信するようにしても良い。
【００３５】
ゲートウェイ１，２０は、ハブ２Ａ、２Ｂ、２Ｃ、２Ｄのそれぞれから、宅内機器ごとのポート番号、ハブＩＤ、オブジェクトＩＤ及び属性情報を受信すると、図４に示すロケーションテーブルを更新する。このとき、ゲートウェイ１，２０は、予め記憶しておいたハブＩＤと場所情報との対応表（図示せず）に従って、受信したハブＩＤに対応した場所情報をロケーションテーブルに格納する。
【００３６】
ゲートウェイ１，２０は、例えば携帯型コントローラ９がブリッジ８にアクセスしたことを検知した場合には、ロケーションテーブルを参照して携帯型コントローラ９が居間に存在することを認識し、携帯型コントローラ９が存在する居間に、ハブ２Ｄに接続されている照明３Ｄ、エアコン７、人センサ５Ｄが存在し、当該宅内機器のオブジェクトＩＤから機器データテーブルを参照して、宅内機器の属性情報を取得して送信する。これにより、携帯型コントローラ９の表示機構で居間に存在する宅内機器をリスト表示させることができる。
【００３７】
また、ゲートウェイ１，２０は、携帯型コントローラ９を保持したユーザがエリア間を移動した場合には、当該移動先で携帯型コントローラ９がハブ２Ａ、２Ｂ、２Ｃ、２Ｄにアクセスすることによって、ロケーションテーブルを更新すると共に、携帯型コントローラ９で表示させる宅内機器のリストを自動的に変更させることができる。
【００３８】
また、上述したゲートウェイ１，２０は、サーバ機能部２０２に、宅内機器が相互に連携して動作できることを表す動作テーブルをサーバ機能部２０２又はデバイスアクセスサーバ２０１ａに記憶している。この動作テーブルは、宅内機器の属性（class）の組み合わせである宅内機器の属性群と、グループＩＤと、動作ＩＤと、連携動作の内容を示す連携動作情報とが対応付けられて構成されている。
【００３９】
例えば、ゲートウェイ１，２０は、照明と人センサという属性群に対応付けて、グループＩＤ（Ｇ１）と、動作ＩＤ（Ａ１）と、人センサがオン状態となったら照明をオンさせる連携動作情報を記憶している。従って、ゲートウェイ１，２０は、携帯型コントローラ９が居間に存在する場合において、動作テーブルからグループＩＤがＧ１、Ｇ３の連携動作情報を動作テーブルから読み出して、携帯型コントローラ９に送信して表示させることができる。
【００４０】
更に、ゲートウェイ１，２０は、図６に示すように、連携して動作することが禁止となる動作を定義付けた禁止動作テーブルを記憶しておいても良い。この禁止動作テーブルは、宅内機器の属性（class）の組み合わせである宅内機器の属性群と、禁止動作の内容を示す連携動作情報とが対応付けられて構成されている。
【００４１】
例えば、ゲートウェイ１，２０は、ＴＶと人センサという属性群に対応付けて、人センサがオフ状態となったらＴＶをオンさせる禁止動作情報を記憶している。従って、ゲートウェイ１，２０は、人センサ５Ａがオンとなっている場合にＴＶ４Ａをオンとする制御を禁止でき、当該禁止動作をコントローラであるＴＶ４Ａに表示できる。
【００４２】
更にまた、ゲートウェイ１，２０は、図７に示すように、ユーザごとにコントローラを保持させた利用環境において、各コントローラに、宅内機器にアクセスする権限を表すアクセス権情報を格納しておき、各コントローラのアクセス権情報を取得して、当該コントローラによってアクセス可能な宅内機器のみを表示させても良い。
【００４３】
このゲートウェイ１，２０は、コントローラのオブジェクトＩＤと、人物情報と、アクセス可能な宅内機器のオブジェクトＩＤとを対応付けたアクセス権テーブルを記憶していている。そして、ゲートウェイ１，２０は、例えば、オブジェクトＩＤが「１」のコントローラがハブ２Ａ、２Ｂ、２Ｃ、２Ｄを介して通信接続された場合には、当該オブジェクトＩＤに対応した宅内機器（１）、（２）のみがアクセス可能であるので、宅内機器（１）、（２）のみをリスト表示させる。そして、オブジェクトＩＤが「１」のコントローラから宅内機器（１）を動作させたい旨のリクエストを受信した場合には、当該リクエストに応じて宅内機器（１）を動作させる。
【００４４】
逆に、ゲートウェイ１，２０は、コントローラのアクセス権情報を取得して、当該コントローラによってアクセス不能な宅内機器を表示させても良い。例えば、オブジェクトＩＤが「２」のコントローラがハブ２Ａ、２Ｂ、２Ｃ、２Ｄを介して通信接続された場合には、当該オブジェクトＩＤに対応した宅内機器（１）〜（４）がアクセス可能であるので、宅内機器（１）〜（４）をリスト表示させる。
【００４５】
これによって、ゲートウェイ１，２０は、人物によってアクセス可能な宅内機器と、アクセス不能な宅内機器とを区別して、各ユーザのコントローラに表示させることができる。また、連携動作についても、当該連携動作に係わる全宅内機器についてアクセス可能である場合に、連携動作が可能であることを表示できる。
【００４６】
更にまた、ゲートウェイ１，２０は、図８に示すように、予め記憶しておいた連携動作のみならず、情報サーバ３１に蓄積した連携動作ポリシーデータベースに含まれる連携動作を受信して、動作テーブルに追加しても良い。この情報サーバ３１は、既にホームＡ、ホームＢに設置されている宅内機器同士の連携動作のみならず、既に設置されている宅内機器と新規に設置することを推奨する宅内機器との連携動作ポリシーを蓄積している。
【００４７】
この情報サーバ３１と接続するゲートウェイ１，２０には、予めコントローラを操作するユーザ属性情報（ジャンル、嗜好、家族構成等）と、既存の宅内機器の属性情報とが記憶されており、情報サーバ３１にユーザ属性情報と既存の宅内機器の属性情報とを送信する。
【００４８】
情報サーバ３１は、ゲートウェイ１，２０から、例えばホームＡ、１Ｂごとののユーザ属性情報又は既存の宅内機器の属性情報を受信すると、当該属性情報に応じた連携可能動作情報を選択してゲートウェイ１，２０に返信する。これによって、新たな連携動作をコントローラに表示できると共に、現在ホームＡ、Ｂに存在しない宅内機器を用いた連携動作をコントローラに表示できる。
【００４９】
また、現在ホームＡ，Ｂに存在しない宅内機器を用いた連携動作を表示するためには、必ずしも情報サーバ３１から動作テーブルを取得する必要なく、既にゲートウェイ１，２０に記憶された動作テーブルを参照しても良い。このとき、ゲートウェイ１，２０は、ロケーションテーブルを参照してコントローラが存在するエリアを識別し、ロケーションテーブル及び記憶した動作テーブルを参照して、コントローラと同一のエリア内に存在しない宅内機器群であって、連動動作できない宅内機器群及び連携動作の内容を表示させる。
【００５０】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【図面の簡単な説明】
【００５１】
【図１】本発明を適用した電子機器の表示システムの構成を示すシステム図である。
【図２】ゲートウェイ及び宅内機器の内部構成を示すブロック図である。
【図３】宅内機器に記憶された機器データテーブルを示す図である。
【図４】ゲートウェイに記憶されたロケーションテーブルを示す図である。
【図５】ゲートウェイに記憶された動作テーブルを示す図である。
【図６】ゲートウェイに記憶された禁止動作テーブルを示す図である。
【図７】ゲートウェイに記憶されたアクセス権テーブルを示す図である。
【図８】外部の情報サーバから連携動作情報をゲートウェイによって受信することを示すシステム図である。
【符号の説明】
【００５２】
１，２０  ゲートウェイ
ハブ２Ａ、２Ｂ、２Ｃ、２Ｄ  ハブ
３Ａ，３Ｂ，３Ｃ，３Ｄ，２２  照明
４Ａ，４Ｂ，２３  ＴＶ
５Ａ，５Ｂ，２１  人センサ
６，２４  ＤＶＤ装置
７  エアコン
８  ブリッジ
９  携帯型コントローラ
１０  パーソナルコンピュータ
１１  携帯電話
３１  情報サーバ
１００  宅内機器
１０１  ＭＯＳ機能部
１０１ａ  機能
１０１ｂ  イベント
１０１ｃ  変数
１０１ｄ  ＩＤ
１０１ｅ  機器データテーブル
１０２  アプリケーション処理部
１０３  インターフェースモジュール
１０４  能力テーブル
２０１  ＯＡＳ機能部
２０１ａ  デバイスアクセスサーバ
２０１ｂ  サービス情報
２０１ｃ  デバイスアクセスコントローラ
２０２  サーバ機能部
２０３  通信モジュール
【図１】
2007174208.tif 000003
【図２】
2007174208.tif 000004
【図３】
2007174208.tif 000005
【図４】
2007174208.tif 000006
【図５】
2007174208.tif 000007
【図６】
2007174208.tif 000008
【図７】
2007174208.tif 000009
【図８】
2007174208.tif 000010